Podtech/llm-jp-corpus-v4-ja_patent huggingface dataset:
(57)【要約】【課題】クライアントパソコンのプリンタドライバを自動的に追加、更新することができるネットワークプリンタシステムを提供する。【解決手段】クライアントパソコン１、管理パソコン２、プリンタ３がネットワーク接続されたネットワークプリンタシステムにおいて、管理パソコン２、プリンタ３は、プリンタドライバを格納する機能を有し、さらに管理パソコン２は、プリンタ３に格納している最新のプリンタドライバを監視する機能を有し、かつプリンタ３にアクセスしてきたクライアントパソコン１からプリンタドライバ情報を取得し、必要に応じて当該クライアントパソコン１のプリンタドライバを更新し、あるいは追加する機能を有する。【選択図】        図１
2004199387.tif 000002
【特許請求の範囲】
【請求項１】
クライアントパソコン、管理パソコン、プリンタがネットワーク接続されたネットワークプリンタシステムにおいて、管理パソコン、プリンタは、プリンタドライバを格納する機能を有し、さらに管理パソコンは、プリンタに格納している最新のプリンタドライバを監視する機能を有することを特徴とするネットワークプリンタシステム。
【請求項２】
さらに管理パソコンは、プリンタにアクセスしてきたクライアントパソコンからプリンタドライバ情報を取得し、必要に応じて当該クライアントパソコンのプリンタドライバを更新し、あるいは追加する機能を有することを特徴とする請求項１記載のネットワークプリンタシステム。
【発明の詳細な説明】
【０００１】
【発明の属する技術分野】
本発明は、クライアントパソコン、管理パソコン、プリンタがネットワーク接続されたネットワークプリンタシステムに関するものである。
【０００２】
【従来の技術】
クライアントパソコン、プリンタがネットワーク接続され、クライアントパソコンのアプリケーションを利用して作成された印刷データを所定のプリンタで紙に印刷出力するネットワークプリンタシステムが広く利用されている。この種のネットワークプリンタシステムに関連して例えば以下の従来技術が提案されている。
【０００３】
【特許文献１】
特開２０００−２４６９８１号公報
【特許文献２】
特開２０００−３３０９２０号公報
【特許文献３】
特開２０００−３３９２６２号公報
【０００４】
【発明が解決しようとする課題】
しかし従来のネットワークプリンタシステムでは、クライアントパソコンをプリンタと接続して使えるようにするには、そのプリンタ用のプリンタドライバを別の場所から手に入れた上でインストールしなければならなかった。
【０００５】
本発明は、クライアントパソコンのプリンタドライバを自動的に追加、更新することができるネットワークプリンタシステムを提供することを目的とする。
【０００６】
【課題を解決するための手段】
上記目的を達成するために、請求項１記載の発明では、クライアントパソコン、管理パソコン、プリンタがネットワーク接続されたネットワークプリンタシステムにおいて、管理パソコン、プリンタは、プリンタドライバを格納する機能を有し、さらに管理パソコンは、プリンタに格納している最新のプリンタドライバを監視する機能を有するネットワークプリンタシステムを最も主要な特徴とする。
【０００７】
請求項２記載の発明では、さらに管理パソコンは、プリンタにアクセスしてきたクライアントパソコンからプリンタドライバ情報を取得し、必要に応じて当該クライアントパソコンのプリンタドライバを更新し、あるいは追加する機能を有する請求項１記載のネットワークプリンタシステムを主要な特徴とする。
【０００８】
【発明の実施の形態】
以下、図面により本発明の実施の形態を詳細に説明する。図１は本発明の実施の形態に係るネットワークプリンタシステムの構成図である。本ネットワークプリンタシステムは、複数のクライアントパソコン１（１−１、１−２）、管理パソコン２、複数のプリンタ３（３−１、３−２）がネットワーク４に接続されることで構成されている。そしてクライアントパソコン１のアプリケーションを利用して作成された印刷データを所定のプリンタ２で紙に印刷出力するようになっている。
【０００９】
本発明の管理パソコン２は、プリンタ３内のプリンタドライバ情報と同期するために、プリンタドライバを格納する役割を持つ。プリンタ３も、プリンタドライバを格納する役割を持つ。
【００１０】
図２は管理パソコンがプリンタ内のプリンタドライバを監視する機能動作のフロー図である。管理パソコン２は、プリンタ３内のプリンタドライバ情報と同期するために、プリンタ３内のプリンタドライバを監視し（Ｓ１）、プリンタ３内のプリンタドライバが新しくなっている場合は（Ｓ２でＹ）、プリンタ３から更新されたプリンタドライバを転送してもらい自身でそれを格納する（Ｓ３）。そしてさらに監視を続ける（Ｓ４）。
【００１１】
図３は管理パソコンがプリンタにアクセスしてきたクライアントパソコンに必要に応じてプリンタドライバをインストールする機能動作のフロー図である。管理パソコン２は、プリンタ３にアクセスしてきたクライアントパソコン１からプリンタドライバ情報を取得し（Ｓ１１）、クライアントパソコン１にそのプリンタ用のプリンタドライバがインストールされていない時（Ｓ１２でＹ）、プリンタドライバのインストールを行うかどうかの確認画面が表示される。それに対して容認した時、プリンタ３に内蔵しているプリンタドライバがクライアントパソコン１にインストールされる。
【００１２】
またクライアントパソコン１にそのプリンタ用のプリンタドライバがインストールされているが、そのプリンタドライバのバージョンが古い時（Ｓ１２でＹ）、プリンタドライバの更新を行うかどうかの確認画面が表示される。それに対して容認した時、クライアントパソコン１のプリンタドライバはプリンタ３に内蔵しているプリンタドライバのバージョンに更新される。ただし、実際に追加・更新を行うかどうかはユーザー側が判断する。
【００１３】
【発明の効果】
以上説明したように本発明によれば、クライアントパソコン、管理パソコン、プリンタがネットワーク接続されたネットワークプリンタシステムにおいて、管理パソコン、プリンタは、プリンタドライバを格納する機能を有し、さらに管理パソコンは、プリンタに格納している最新のプリンタドライバを監視する機能を有し、かつプリンタにアクセスしてきたクライアントパソコンからプリンタドライバ情報を取得し、必要に応じて当該クライアントパソコンのプリンタドライバを更新し、あるいは追加する機能を有するので、クライアントパソコンのプリンタドライバを自動的に追加、更新することが可能なネットワークプリンタシステムを提供することができる。
【図面の簡単な説明】
【図１】本発明の実施の形態に係るネットワークプリンタシステムの構成図である。
【図２】管理パソコンがプリンタ内のプリンタドライバを監視する機能動作のフロー図である。
【図３】図３は管理パソコンがプリンタにアクセスしてきたクライアントパソコンに必要に応じてプリンタドライバをインストールする機能動作のフロー図である。
【符号の説明】
１  クライアントパソコン
２  管理パソコン
３  プリンタ
４  ネットワーク
【図１】
2004199387.tif 000003
【図２】
2004199387.tif 000004
【図３】
2004199387.tif 000005
(57)【要約】      （修正有）【課題】容易に搬送及び設置することで障害者が車椅子や白杖のリハビリが出来、一般の人が身近に教育及び体験出来るようにすることにある。【解決手段】軽量材質で組立式に構成されたユニットにすることで容易に搬送及び設置を可能にする車椅子および白杖の体験ユニット。【選択図】    図１
2004199012.tif 000002
【特許請求の範囲】
【請求項１】
実生活における道路状態を模擬した各ユニットに点字ブロックを取り付けた車椅子および白杖の体験ユニット。
【請求項２】
ＦＲＰ等の軽量材質で構成されたユニットであり、組立式で容易に搬送及び設置が可能な車椅子および白杖の体験ユニット。
【発明の詳細な説明】
【０００１】
【発明の属する技術分野】
本発明は、実生活における道路状態を模擬し、点字ブロックを取り付けた車椅子および白杖の体験ユニット。
【０００２】
軽量材質で組立式に構成されたユニットなので、容易に搬送及び設置が可能である。
【０００３】
【従来の技術】
従来の車椅子および白杖の体験が出来るのは、施設等の敷地内に歩道の設計や施工段階の目的で設置された物が体験施設として一部利用開放されている。
【発明が解決しようとする課題】
【０００４】
しかしながら、上記従来の体験施設では、障害者にとって施設等への移動は困難であり、一般の人が体験する機会が少ない。
【０００５】
本発明は上記問題点を解決する為のもので、公民館や体育館等に搬送及び設置することで障害者が車椅子や白杖のリハビリが出来、一般の人が身近に教育及び体験出来る。
【０００６】
【課題を解決するための手段】
上記目的を解決する手段として、軽量材質で組立式に構成されたユニットにすることで容易に搬送及び設置を可能にする。
【０００７】
【発明の実施の形態】
以下、本発明の実施例を図面に基づいて詳細に説明する。
図１に示される実施例では、軽量材質で作成された平坦な台に交差点を模擬した点字ブロック１を取り付ける。
【０００８】
図２に示される実施例では、軽量材質で作成された平坦な台に直角カーブを模擬した点字ブロック１を取り付ける。
【０００９】
図３に示される実施例では、軽量材質で作成された平坦な台に段差２とグレーチング３を取り付ける。
【００１０】
図４に示される実施例では、軽量材質で作成された平坦な台に直線道路を模擬した点字ブロック１と矢印の方向に急な下り勾配４を取り付ける。
【００１１】
図５に示される実施例では、軽量材質で角度の緩やかなカーブを模擬した平坦な台に緩やかなカーブを模擬した点字ブロック１を取り付ける。
【００１２】
図６に示される実施例では、軽量材質で作成された平坦な台に直角カーブを模擬した点字ブロック１と矢印の方向に急な下り勾配４を取り付ける。
【００１３】
図７に示される実施例では、軽量材質で作成された平坦な台に点字ブロック１と矢印の方向に急な下り勾配４と矢印の方向に緩やかな下り勾配５を取り付ける。
【００１４】
図８に示される実施例では、軽量材質で作成された平坦な台に点字ブロック１と矢印の方向に緩やかな下り勾配５と矢印の方向に急な下り勾配４を取り付ける。
【００１５】
図９に示される実施例では、軽量材質で作成された平坦な台に直線道路を模擬した点字ブロック１を取り付ける。
【００１６】
図１０に示される実施例では、軽量材質で作成された平坦な台に直角カーブを模擬した点字ブロック１と緩やかな下り勾配５を取り付ける。
【００１７】
図１１は、図１〜図１０のように作成されたものを組み合わせてコースにする。
【００１８】
【発明の効果】
本発明は、以上説明したように構成されているので、以下に記載されるような効果を奏する。
【００１９】
軽量材質で作成され、各ユニットに分解できるので容易に搬送できる。
【００２０】
公民館や体育館等に搬送及び設置することで障害者が車椅子や白杖のリハビリが出来、一般の人が身近に教育及び体験出来る。
【図面の簡単な説明】
【図１】軽量材質で作成された平坦な台に交差点を模擬した点字ブロックを取り付けたユニットを示す図である。
【図２】軽量材質で作成された平坦な台に直角カーブを模擬した点字ブロックを取り付けたユニットを示す図である。
【図３】軽量材質で作成された平坦な台に段差とグレーチングを取り付けたユニットを示す図である。
【図４】軽量材質で作成された平坦な台に直線道路を模擬した点字ブロックと矢印の方向に急な下り勾配を取り付けたユニットを示す図である。
【図５】軽量材質で角度の緩やかなカーブを模擬した平坦な台に緩やかなカーブを模擬した点字ブロックを取り付けたユニットを示す図である。
【図６】軽量材質で作成された平坦な台に直角カーブを模擬した点字ブロックと矢印の方向に急な下り勾配を取り付けたユニットを示す図である。
【図７】軽量材質で作成された平坦な台に点字ブロックと矢印の方向に急な下り勾配と矢印の方向に緩やかな下り勾配を取り付けたユニットを示す図である。
【図８】軽量材質で作成された平坦な台に点字ブロックと矢印の方向に緩やかな下り勾配と矢印の方向に急な下り勾配を取り付けたユニットを示す図である。
【図９】軽量材質で作成された平坦な台に直線道路を模擬した点字ブロックを取り付けたユニットを示す図である。
【図１０】軽量材質で作成された平坦な台に直角カーブを模擬した点字ブロックと矢印の方向に緩やかな下り勾配を取り付けたユニットを示す図である。
【図１１】図１〜図１０のユニットを組み合わせてコースにした図である。
【符号の説明】
１  点字ブロック
２  段差
３  グレーチング
４  矢印の方向に急に下る勾配
５  矢印の方向に緩やかに下る勾配
【図１】
2004199012.tif 000003
【図２】
2004199012.tif 000004
【図３】
2004199012.tif 000005
【図４】
2004199012.tif 000006
【図５】
2004199012.tif 000007
【図６】
2004199012.tif 000008
【図７】
2004199012.tif 000009
【図８】
2004199012.tif 000010
【図９】
2004199012.tif 000011
【図１０】
2004199012.tif 000012
【図１１】
2004199012.tif 000013
(57)【要約】【課題】長時間の安定したカメラ保持撮影をする為に腕への負担を低減させる。【解決手段】カメラを保持した保持者の肘を載せる水平の横板部と、カメラ保持した肘から横板部にかかる垂直方向の力を水平方向に変える支点、及びその水平方向の力を保持者の身体に分散させる縦板部によって構成されるＬ字又は横Ｔ字形状の撮影補助具。【選択図】      図１
2004199011.tif 000002
【特許請求の範囲】
【請求項１】
首及び／又は、肩にかけられる吊り下げ部材と、この吊り下げ部材を介して身体に吊り下げられる支持部材とを備え、前記支持部材は身体に当てられる縦板部とこの縦板部から前方に延び、肘がおかれる横板部とを備えていることを特徴とする撮影補助具。
【請求項２】
前記横板部の端部は、カメラ保持者の肘を板材上に誘導するためのガイド部材又は面取り形状又は凹溝形状のうち１つ以上を有することを特徴とする撮影補助具。
【請求項３】
前記横板部の中央付近は、請求項２記載の保持者の肘を前記横板部上に安定接触させる凹くぼみ又はクッション材のうち１つ以上を有することを特徴とする撮影補助具。
【請求項４】
前記撮影補助具は、前記撮影補助具の一部又は全部が請求項２及び請求項３記載の保持者の保持するカメラレンズ前を過ぎることなく装着できる形状を有することを特徴とする撮影補助具。
【発明の詳細な説明】
【０００１】
【発明の属する技術分野】
カメラを保持して撮影する場合、カメラ重量を支える腕への負担を低減し長時間の安定した撮影を可能にする撮影補助装置に関する
【０００２】
【従来の技術】
撮影者がカメラを手で保持し撮影する場合、カメラのファインダを覗ける高さまでカメラを持ち上げた状態を維持する必要があり腕へ負担がかかり長時間の撮影は困難であった。そのためにカメラを保持する撮影補助装置が種々提案されている。例えば肘を屈曲自在なループ状の帯状体を用いて首や肩より支える撮影補助具があった
（引用文献）
【０００３】
【引用文献１】特開２００２−１４４１８
また、平行四辺形の部材とスプリングを用いた複雑な機構を持つ装置が市販されている。
【０００４】
【発明が解決しようとする課題】
しかしながら、従来の装置ではカメラ保持が最も容易となる前腕を垂直にした場合、上腕が垂直にならず肩を中心に回転方向の力が生じ、その力を相殺する力が常に必要となり腕への負担となっていた。又はその回転方向の力を軽減するために腰部から長さ調整機構又はスプリングによる反発機構を有するアームを備えた装置も市販されているが複雑、高価、重い装置となっていた。
【０００５】
本発明は上腕の角度に影響を受けずに、長時間の安定したカメラ保持が可能となる軽量、安価かつ操作が容易な撮影補助装置を提供する。
【０００６】
【課題を解決するための手段】
本発明は、カメラを保持した保持者の肘を載せる略水平の横板部と、カメラ保持した肘から横板部にかかる略垂直方向の力を略水平方向に変える支点、及びその略水平方向の力を保持者の身体に分散保持させる縦板部によって構成される、Ｌ字形状又は横Ｔ字形状の支持部材によって、上腕の角度に影響を受けず、常にカメラの重量を保持者の身体で受けられるようにした撮影補助具である。
【０００７】
【発明の実施の形態】
以下、図面を参照して本発明の一実施形態を説明する。
図１は一実施形態に係る撮影補助具の右側面から見た全体図である。図２は一実施形態に係る撮影補助具の正面から見た全体図である。本実施形態の撮影補助具は縦板部１に略直角固定した横板部２で構成されたＬ字形状の支持部材１０に、支点として作用させる位置付近に開けた紐取付用の穴３を設け、その穴３に紐４を取り付けてある。
【０００８】
紐４には長さ調整機能及び紐端部脱着機構を有するバックル５が取り付けられている。横板部２端には面取り面７が加工されている。横板部２の上面には発泡ウレタン６が接着されている。
また縦板部１裏面にはゴム８が接着されている。
【０００９】
本実施形態の撮影補助具は縦板部１に略直角固定した横板部２で構成されたＬ字形状の支持部材１０に、支点として作用させる位置付近に開けた紐取付用の穴３を設け、その穴３に取り付けた紐４を図示せぬ保持者の首又は肩にかけて保持者の腹部付近に装着させる。
【００１０】
支持部材１０の装着位置は、紐４に付けた長さ調整機能及び紐端部脱着機構を有するバックル５により調節でき、カメラ保持に適した位置にすることができる。保持したカメラを高く差し上げ又通常位置に肘を戻す場合、横板部２端につけた面取り面７により、肘が速やかに横板部２上に誘導され発泡ウレタン６によりショックを加えることなく接触させることができる。
また縦板部１裏面に接着した一対のゴム８により支持部材を人体にフィットさせることができる。
【００１１】
【発明の効果】
以上説明したように、本発明の撮影補助具によれば、カメラ保持をする場合に生じる腕への負担が低減され長時間の保持撮影が可能となる。さらに本発明は撮影途中にも装着が可能なために予期せぬ撮影条件、例えば頭上高くにカメラを差し上げての撮影が必要になった場合や、撮影時間の延長が必要になった場合でも撮影を中断することなく対応でき、貴重な撮影チャンスを逃すことを低減させることができる。
【図面の簡単な説明】
【図１】一実施形態に係る撮影補助装置の右側面から見た全体図である。
【図２】一実施形態に係る撮影補助装置の正面から見た全体図である。
【符号の説明】
１  縦板部
２  横板部
３  穴
４  紐
５  バックル
６  発泡ウレタン
７  面取り部
８  ゴム
９  吊り下げ部材
１０  支持部材
【図１】
2004199011.tif 000003
【図２】
2004199011.tif 000004